(57)【要約】【課題】自由扉のラッチ錠に対応する受け具を提供すること。上下のラッチヘッドに対する緩衝機能を十分に発揮させることができること。【解決手段】錠本体の組となる上下方向の二つのラッチ先端部が係脱する自由扉のラッチ錠用の受け具に於いて、表面５０ａの中央部に前記ラッチ先端部が同時に係脱する縦長状の係入穴５２を形成し、この係入穴を形成する左右の側壁部分は、ラッチ先端部がそれぞれ乗り越える回転対称の係合部５１であり、かつ左右の係合部５１はそれぞれ上下に区分された二つの係合部分５１ａ、５１ｂから成っており、その一つは、一方のラッチ先端部の係止面(先端)６が乗り越える傾斜状表面５１ａであり、他の一つは、他方のラッチ先端部の傾斜面７が乗り越える平表面５１ｂであるラッチ錠用の受け具。【選択図】図８
2008291506.tif 000002
【特許請求の範囲】
【請求項１】
錠本体の組となる上下方向の二つのラッチ先端部が係脱する自由扉のラッチ錠用の受け具に於いて、表面５０ａの中央部に前記ラッチ先端部が同時に係脱する縦長状の係入穴５２を形成し、この係入穴を形成する左右の側壁部分は、前記ラッチ先端部がそれぞれ乗り越える回転対称の係合部５１であり、かつ左右の係合部５１はそれぞれ上下に区分された二つの係合部分５１ａ、５１ｂから成っており、その一つは、一方のラッチ先端部の係止面(先端)６が乗り越える傾斜状表面５１ａであり、他の一つは、他方のラッチ先端部の傾斜面７が乗り越える平表面５１ｂであることを特徴とするラッチ錠用の受け具。
【請求項２】
請求項１に於いて、傾斜状表面の係合部分５１ａは、扉の揺動方向の他方の平表面の係合部分５１ｂよりも底壁５３側に多少落ち込んでいることを特徴とするラッチ錠用の受け具。
【請求項３】
請求項１に於いて、表面５０ａの端部寄りの部位に、錠本体に進退動自在に設けたトリガー部材のトリガーヘッドが圧接する膨出部分５４が形成されていることを特徴とするラッチ錠用の受け具。
【請求項４】
請求項１に於いて、二つのラッチ先端部を有するラッチは、錠本体のラッチ枠内に配設され、かつ、ラッチ先端部の係止面(先端)６が互いに反対向きの反転式ラッチ５Ａ、５Ｂであることを特徴とするラッチ錠用の受け具。
【請求項５】
錠本体の組となる上下方向の二つのラッチ先端部が係脱する自由扉のラッチ錠用の受け具に於いて、表面５０ａの両端部寄りの部位に前記ラッチ先端部が同時に係脱する係入穴５２をそれぞれ形成し、これらの係入穴を形成する左右の側壁部分は、前記ラッチ先端部がそれぞれ乗り越える回転対称の係合部であり、かつ、左右の係合部はそれぞれ中央部の表面部分に連設すると共に上下に区分された二つの係合部分５１ａ、５１ｂから成っており、その一つは、一方のラッチ先端部の係止面(先端)６が乗り越える傾斜状表面５１ａであり、他の一つは、他方のラッチ先端部の傾斜面７が乗り越える平表面５１ｂであることを特徴とするラッチ錠用の受け具。
【請求項６】
請求項５に於いて、傾斜状表面の係合部分５１ａは、扉の揺動方向の他方の平表面の係合部分５１ｂよりも底壁５３側に多少落ち込んでいることを特徴とするラッチ錠用の受け具。
【発明の詳細な説明】
【技術分野】
【０００１】
本発明は、自由扉に適合するラッチ錠用の受け具に関する。
【背景技術】
【０００２】
特許文献１及び特許文献２には、「固定側に取付けられ、かつ自由扉の自由端部に取付けられた錠本体の組となる上下方向の二つのラッチ先端部が係脱する自由扉のラッチ錠用の受け具」がそれぞれ記載されている。
【０００３】
ここでは、特に、特許文献１について記述する。特許文献１の受け具を含むラッチ錠は、次の構成から成る（公報中の符号も入れる）。
【０００４】
すなわち、このラッチ錠は、（Ａ）固定側に取付けるラッチ受部材（５０）と、揺動扉側に取付ける突没自在で且つ一対となる少なくとも２つのラッチ部材（４０ａ、４０ｂ）とを備え、（Ｂ）ラッチ受部材５０には、一対のラッチ部材（４０ａ、４０ｂ）にそれぞれ対応して扉の揺動方向中央よりにラッチヘッド収容部（５２ａ、５２ｂ）と、一のラッチヘッド収容部５２ａの揺動方向右側と他のラッチヘッド収容部５２ｂの揺動方向左側とに相互に対称的にラッチ係止部（５１ａ、５１ｂ）を有し、（Ｃ）ラッチ部材の先端部を形成するラッチヘッド（４１ａ、４１ｂ）は、ラッチ係止部に当接係止する係止面部（４２ａ、４２ｂ）とラッチ係止部（５１ａ、５１ｂ）に当接して没入する傾斜面部（４３ａ、４３ｂ）とからなる扉の揺動方向断面において略直角三角形に形成してあり、（Ｄ）扉が閉じた状態で一のラッチヘッド（４１ａ）と他のラッチヘッド（４１ｂ）との係止面部（４２ａ、４２ｂ）がそれぞれラッチ係止部（５１ａ、５１ｂ）側に位置して相互に対称に有している。
【０００５】
上記構成に於いて、図１、図３及び図４に記載の受け具（ラッチ受部材５０）を参酌すると、受け具５０に中央部寄りの部位に形成された上位のラッチヘッド収容部（５２ａ）の構成は、例えば扉を手前からプッシュして閉めた場合に於いて、横断面略直角三角形状の一のラッチヘッド（４１ａ）の係止面部（４２ａ）がそのまま入り込み、かつ収容部（５２ａ）の内部（奥側）の側壁部分の内面に面接触状態に係合する二方向、或は正面視コ字形の切欠状横向き凹所である。
【０００６】
一方、同じく、中央部寄りの部位に形成された下位のラッチヘッド収容部（５２ｂ）の構成は、例えば扉を向こう側から閉めた場合に於いて、横断面略直角三角形状の一のラッチヘッド（４１ｂ）の係止面部（４２ｂ）がそのまま入り込み、かつ収容部（５２ｂ）の内部（手前に位置する奥側）の側壁部分の内面に面接触状態に係合する二方向、或は正面視逆コ字形の切欠状横向き凹所である。
【０００７】
このように、特許文献１の受け具５０の上下のラッチヘッド収容部（５２ａ、５２ｂ）は、それぞれ受け具５０の一側壁部分から中央部寄りの部位まで、上下方向に、かつ回転対称に形成された二方向の切欠状横向き凹所である。
【０００８】
上記構成の受け具５０は、扉を手前側からプッシュして閉めた場合、又は逆に扉を手前側に向けて閉めた場合のいずれであっても、上下方向に回転対称に位置するラッチ係止部（５１ａ、５１ｂ）でもって、扉側の上下のラッチヘッド（４１ａ、４１ｂ）を係止することができるという利点がある。
【０００９】
しかしながら、上下のラッチヘッド収容部（５２ａ、５２ｂ）は、それぞれ二方向の切欠状横向き凹所であることから、閉扉時、上下のラッチヘッド（４１ａ、４１ｂ）が衝突（衝接）する箇所は、一つである。付言すると、例えば扉を手前側からプッシュして閉めた場合、上位の収容部（５２ａ）は開口しているから、上のラッチヘッド（４１ａ）は、何らの摩擦抵抗を受けことなく、そのまま収容部（５２ａ）に入り込み、摩擦抵抗を受けるのは、下のラッチヘッド（４１ｂ）だけである。
【００１０】
また、閉扉状態の扉を向こう側に開ける場合、今度は、下位の収容部（５２ｂ）は向こう側に開口しているから、摩擦抵抗を受けるのは、上のラッチヘッド（４１ａ）だけである。
【００１１】
したがって、特許文献１の受け具５０に於いては、扉の閉鎖時、「上下のラッチヘッドに対する緩衝機能（衝突をやわらげる機能）を十分に発揮させることができず」、また、「ラッチング機能（確実に掛止めする機能）」も十分でないという問題点があった。特に、反転式のラッチを用いた場合には、扉の閉鎖時に錠本体のロッキングピースの先端部が、ラッチの後端部等の拘束を解くので、扉がラッチングせず、奥側のラッチ係止部（５１ａ）を乗り越えてしまうことが懸念材料であった。
【００１２】
そこで、現在、反転式のラッチや非反転式のラッチ（通称ラッチ）を用いることを前提として、自由扉に適用することができるラッチ錠用の受け具の出現が期待されている。その場合、緩衝機能を十分に発揮させることができると共に、閉扉時の掛止め機能も十分であるラッチ錠用の受け具が望まれる。
【特許文献１】特開２００６−２３３４６２号公報
【特許文献２】特開２００６−２３３７０６号公報
【発明の開示】
【発明が解決しようとする課題】
【００１３】
本発明の第１の目的は、自由扉のラッチ錠に対応する受け具を提供することを前提として、扉の閉鎖時、上下のラッチヘッドに対する緩衝機能（衝突をやわらげる機能）を十分に発揮させることができることである。第２の目的は、扉の閉鎖時、ラッチング機能（確実に掛止めする機能）も十分であることである。第３の目的は、一方のラッチ先端部の係止面(先端)が傾斜状表面を乗り越える場合、摺接抵抗を受けながら収容部に確実に入り込むことである。その他トリガー部材を有する錠本体に対応することができることである。
【課題を解決するための手段】
【００１４】
本発明のラッチ錠用の受け具は、錠本体の組となる上下方向の二つのラッチ先端部が係脱する自由扉のラッチ錠用の受け具に於いて、表面５０ａの中央部に前記ラッチ先端部が同時に係脱する縦長状の係入穴５２を形成し、この係入穴を形成する左右の側壁部分は、前記ラッチ先端部がそれぞれ乗り越える回転対称の係合部５１であり、かつ左右の係合部５１はそれぞれ上下に区分された二つの係合部分５１ａ、５１ｂから成っており、その一つは、一方のラッチ先端部の係止面(先端)６が乗り越える傾斜状表面５１ａであり、他の一つは、他方のラッチ先端部の傾斜面７が乗り越える平表面５１ｂであることを特徴とする。
【００１５】
また、本発明のラッチ錠用の受け具は、錠本体の組となる上下方向の二つのラッチ先端部が係脱する自由扉のラッチ錠用の受け具に於いて、表面５０ａの両端部寄りの部位に前記ラッチ先端部が同時に係脱する係入穴５２をそれぞれ形成し、これらの係入穴を形成する左右の側壁部分は、前記ラッチ先端部がそれぞれ乗り越える回転対称の係合部であり、かつ、左右の係合部はそれぞれ中央部の表面部分に連設すると共に上下に区分された二つの係合部分５１ａ、５１ｂから成っており、その一つは、一方のラッチ先端部の係止面(先端)６が乗り越える傾斜状表面５１ａであり、他の一つは、他方のラッチ先端部の傾斜面７が乗り越える平表面５１ｂであることを特徴とする。
【発明の効果】
【００１６】
（ａ）扉の閉鎖時、上下のラッチヘッドに対する緩衝機能を十分に発揮させることができる。
（ｂ）また、扉の閉鎖時、ラッチング機能を十分に発揮させることができる。
（ｃ）一方のラッチ先端部の係止面(先端)が傾斜状表面乗り越える場合、摺接抵抗を受けながら収容部に確実に入り込む。
（ｄ）例えばラッチ枠内に配設され反転式ラッチに対応することができる。
（ｅ）その他錠箱のフロントに進退動自在に配設されたトリガー部材を有する錠本体に対応することができる。
【発明を実施するための最良の形態】
【００１７】
以下、図１乃至図１３に示す本発明を実施するための最良の形態（環境）により説明する。なお、本発明はラッチ錠用の受け具に関するものであることから、まず、本発明の適用対象のラッチ錠Ｘの一例を説明する。
【００１８】
（１）発明の実施の環境
Ｘは本発明の受け具５０を含むラッチ錠である。このラッチ錠Ｘは、扉Ｙに取付けられる錠本体１と、この錠本体のラッチに対向するように戸枠Ｚの縦枠に固定される受け具５０とから成る。
【００１９】
扉Ｙは、その基端部が戸枠Ｚの縦枠に蝶番を介して軸支され、水平方向に揺動する。扉Ｙの自由端部に錠本体１が固定されている。
【００２０】
まず、錠本体１の構成を説明する。２は扉Ｙにねじ等で取り付けられた錠箱で、周知のように、錠箱２は、ケース身２ａと、ケース蓋２ｂから構成されている。錠箱２は、フロント板を有し、このフロント板の中央部には、不番の上下一対のラッチ用開口が形成されている。また、フロント板の上下端部には、不番の固着具用の取付け孔が形成されている。さらに、フロント板の上下端部寄りの部位には、不番の上下一対のトリガー用開口が形成されている。
【００２１】
なお、錠箱２のケース身２ａ及びケース蓋２ｂには、ラッチ、トリガー部材及び係合作用片をそれぞれ案内する案内水平長孔や案内垂直長孔が適宜に形成されている。ここでは、細部的事項の符号や説明は割愛し、主な部材について説明する。
【００２２】
（２）ラッチ枠
符号３は、錠箱２内の前方の中央部に固設された縦断面コ字状のラッチ枠で、このラッチ枠３の上下に位置する水平対向壁には、ロッキングピース１５Ａ、１５Ｂの先端部１５ａ、１５ａを受け入れる切欠状の開口が形成されている。また、水平対向壁に直交する垂直壁の内面には、上下一対のバネ端支持部が突出形成されている。
【００２３】
本実施例では、ラッチ枠３は、錠箱２内の前方中央部に１個配設され、その内部は、フロント板の中心部からラッチ枠３の垂直壁の中心部まで延在する水平案内板４で区分けされている。
【００２４】
（３）ラッチ
符号５Ａ、５Ｂは、錠箱２の前方中央部に配設された上下一対のラッチである。これらのラッチ５Ａ、５Ｂは、それぞれ反転式のラッチであり、その後端部がラッチ枠３内に収まるようにフロント板の上下のラッチ用開口にそれぞれ配設されている。しかも、図１乃至図４で示すように、これらのラッチ５Ａ、５Ｂは、扉の自由端面から見た場合、或は図４の水平断面説明図を平面視から見た場合を基準にすると、ラッチングする係止面６が相互に対称に位置するように配設されている。
【００２５】
したがって、図１では、上位のラッチ５Ａの係止面６は向こう側（図４では上位のラッチ５Ａはハッチングされている）に位置し、一方、下位のラッチ５Ｂの係止面６は手前側（図４では下位のラッチ５Ｂは仮想線で示されている）に位置している。
ところで、反転式のラッチの構造に関しては、例えば特開平８−１００５５９号公報、特許公開平９−３２５２４８号公報、特許公開平１０−３１１１７３号公報、特開平１１−１４１２０７号公報、特許公開２００３−７４２４５号公報等に記載されているように、当業者にとって周知事項である。
【００２６】
したがって、ここでは、周知事項に関しては簡単に説明する。反転式のラッチは、平面形状がほぼ菱形に形成され、前述したラッチングの係止面６、受け具５０の係合部５１に対する傾斜面７、ストッパー用突起８、係合受け部９等を有している。上下のラッチ５Ａ、５Ｂは、それぞれラッチばね１１により錠箱２のフロント板から突出する方向に付勢されている。
【００２７】
したがって、普通一般に、反転式のラッチは、扉Ｙの開閉時、受け具の係合部に摺接すると、ラッチの後端部（内端部）に嵌め込まれた平面門形形状のラッチ受け１０及びラッチばね（圧縮コイルばね）１１を介して反転かつ進退動する。
【００２８】
ところで、本実施例の上下のラッチ５Ａ、５Ｂは、中央部に内設された垂直の基準軸１２を介して一対的、かつ回転可能に連係されている（新規事項）。したがって、本実施例では、前述した水平案内板４には、垂直の基準軸１２用の水平案内長孔４ａが形成されている。このように構成すると、上下のラッチ５Ａ、５Ｂは、共働して突出するという利点がある。
【００２９】
また、ラッチ５Ａ、５Ｂとラッチ受け３との間はラッチばね１１で押し付けられて組み付けられた状態にあるが、相対的な回動（ラッチ受けに対するラッチの反転）は許容されている。
【００３０】
また、ラッチ５Ａ、５Ｂは、閉扉時から開扉時の場合、ラッチばね１１のバネ力に抗して反転しながら後退した後は、前記ラッチばね１１のバネ力により、当初の位置へと戻る。
【００３１】
さらに、ラッチ５Ａ、５Ｂは、開扉時から閉扉時の場合、例えばハンドルをプッシュしながら閉扉操作しても、上下のラッチ５Ａ、５Ｂが同時に受け具５０の係入穴５２に入り込まない限り、前記係入穴を形成する係合部(側壁部分の傾斜状表面５１aとアール乃至平表面５１b)５１にそれらの先端部がそれぞれ衝突状態に摺接しても、上下の反転式ラッチは、反転することなく、そのまま姿勢を維持する。
【００３２】
（４）上下のロッキングピース
錠箱２内のラッチ枠３の上方と下方の近傍には、正面視に於いて、板材をそれぞれＴ字形状（下方は逆様のＴ字形状）に折り曲げて形成した上下一対のロッキングピース１５Ａ、１５Ｂが、上下一対の固定軸（例えば固定枢軸）１６及び一つの可動連結軸１７を介して、鋏揺動可能に配設されている。そして、その親指状の先端部１５ａが、ラッチ枠３の上部水平壁と下部水平壁の各開口を介して各ラッチの係合受け部９に選択的に係合できるようにしている。
【００３３】
また、ロッキングピース１５Ａ、１５Ｂの先端部１５ａから略水平状態に延在する小指状の後端部１５ｂは、係合作用片の押圧係合部に当接している。
さらに、ロッキングピース１５Ａ、１５Ｂは略中央部に垂直方向に延びるアーム部１５ｃを有し、重なり合うアーム部１５ｃの各先端部は、不番の長孔及び可動連結軸１７を介して互いに連結枢着されている。
【００３４】
上記構成に於いて、上下のロッキングピースは、閉扉時のみならず、開扉時においても、その先端部１５ａが上下のラッチ５Ａ、５Ｂの各係合受け部９に係合していることから、操作部材６０を操作しない限り、常に上下のラッチ５Ａ、５Ｂを同時に拘束している。
【００３５】
付言すると、後述する上下の係合作用片３１Ａ、３１Ｂが、それらの作用バネ３２により、それぞれ初期位置に存在している場合に於いて、上下一対の枢軸（実施例によってはガイド軸）１６に少なくとも１つ巻装したロッキングバネ１８のバネ力が、上下のロッキングピース１５Ａ、１５Ｂをそれぞれラッチに係合する方向に付勢していることから、いずれかの係合作用片が内外いずれかの操作部材の操作力により、その作用バネのバネ力に抗して所定方向へ移動しない限り、上下のラッチ５Ａ、５Ｂの各係合受け部９は、上下のロッキングピース１５Ａ、１５Ｂの各先端部１５ａによってそれぞれ係止されている。
【００３６】
図１は、閉扉時に於いて、受け具（ストライク板）５０の係入穴５２に突出状態で係入された上下のラッチ５Ａ、５Ｂは、上下のロッキングピース１５Ａ、１５Ｂの各先端部１５ａにより、同時に突出位置に拘束される状態を示し、一方、図２は、開扉時に於いて、受け具（ストライク板）５０の係入穴５２から抜けた上下のラッチ５Ａ、５Ｂは、上下のロッキングピース１５Ａ、１５Ｂの各先端部１５ａにより、同時に突出位置に拘束される状態であると共に、操作部材の操作力により、上下のロッキングピース１５Ａ、１５Ｂがロック解除の方向へ回転しないように、さらに、次に説明するトリガー部材のロック手段２４を介してロックされている状態を示す。
【００３７】
（５）トリガー部材
符号２１Ａ、２１Ｂは、錠箱２の前方の上下端部に配設された上下一対のトリガー部材である。これらのトリガー部材２１Ａ、２１Ｂは、フロント板の上下のトリガー用開口にそれぞれ進退動自在に配設されている。上下のトリガー部材２１Ａ、２１Ｂは同一構成なので、ここでは、図１の上方のトリガー部材２１Ａを参照にして説明する。
【００３８】
さて、本実施例のトリガー部材２１Ａは、断面コ字形状のトリガーヘッド２２と、このトリガーヘッド２２からロッキングピース１５Ａの先端部１５ａに対向するように延在する水平杆部分２３と、この水平杆部分２３に可動的（スライド可能）に設けられ、かつ扉Ｙを開いた状態で操作部材６０の操作を不可とするようにロッキングピース１５Ａに係合して該ロッキングピース１５Ａをロックする操作部材用ロック手段２４と、このロック手段２４の位置を制御するように該ロック手段２４に対して錠箱２内に配設された複数個の制御バネ２５、２６とから成る。
【００３９】
なお、制御バネ２５、２６に関して、前側制御バネ２５は、後側の制御バネ２６よりも弱い（扉の開閉の際におけるロック手段２４の位置変位のタイミングを考慮）。
【００４０】
しかして、前記トリガーヘッド２２には受け具５０のカム機能を有する係合部５１と摺接する水平のローラ２７が軸支されている。また、前記ロック手段２４は、図５で示すように、ドーナツ形状、或は五円玉形状をしており、水平杆部分２３の後端部に外嵌合し、その外周面２４ａはロッキングピース１５Ａの背側の係合部（係合面）１９に直接係脱可能である。
【００４１】
さらに、複数個の制御バネ２５、２６は、トリガーヘッド２２とロック手段２４との間に介在する前側の制御バネ２５と、ロック手段２４と錠箱内部の後端部側に固定したバネ端受け２８との間に介在する後側の制御バネ２６に区分けされ、前後の制御バネ２５、２６のバネ力は適宜に設定されている。
【００４２】
上記構成に於いて、ロック手段２４は、扉の開閉時に於いて、トリガーヘッド２２のローラ２７が受け具５０に圧接すると、トリガー部材２１Ａが後側の制御バネ２６のバネ力に抗して錠箱２の内部へと後退動することから、外周面２４ａはロッキングピース１５Ａの背側の係合部１９から外れる。
【００４３】
本実施例では、受け具５０のトリガーヘッド２２のローラ２７を受ける部分５４が若干膨出しているので、図１で示すように、扉の閉戸時、上下のトリガー部材２１Ａ、２１Ｂは、同時に錠箱２の内部へと後退動して、上下のロック手段２４は、上下のロッキングピース１５Ａ、１５Ｂの各背側係合部１９、１９から離れる。
【００４４】
したがって、仮施錠状態にある上下のラッチ５Ａ、５Ｂを解錠させる場合には、図示しないシリンダ錠に差し込んだ鍵、サムターン方式のカム部材、回転式の操作部材、プッシュ・プル式の操作部材等の操作力により、係合作用片を作用バネのバネ力に抗して所定方向へと移動させ、かつ前記係合作用片に連係する一組のロッキングピース１５Ａ、１５Ｂを、上下の固定枢軸１６を基準にして鋏揺動させ、それらの先端部１５ａを上下のラッチ５Ａ、５Ｂの係合受け部９から係合離脱させる必要がある。
【００４５】
本実施例では、図１の閉扉状態に於いて、扉Ｙを開く場合には、プッシュ・プル式の操作部材６０を、例えばプルする（引く）。そうすると、操作部材６０の軸部に連係するように設けられ、かつ錠箱２の側壁に形成した開口６１を介して錠箱２内に延出する駆動片６２が所定方向（実施例では垂直方向）に移動して、一方の係合作用片が一つのロッキングピース（１５Ａ、１５Ｂ）の後端部１５ｂを押圧する方向へとスライドする。
【００４６】
そうすると、上下のロッキングピース１５Ａ、１５Ｂは、上下の固定枢軸１６を基準にして鋏揺動する。その結果、前述したように、上下のラッチ５Ａ、５Ｂは、仮施錠状態から解かれる。
【００４７】
これに対して、図２で示す開扉の際、図示しない操作者は、操作部材６０を、例えば手前側にプルする（引く）場合には、普通一般に操作部材６０をプルした状態で扉Ｙを手前へと引っ張る。そして、プルの状態が終わり、操作部材６０を手から離す。しかして、前記プルの状態が終わるや否や、係合作用片は作用バネのバネ力により初期位置へと戻るので、上下のロッキングピース１５Ａ、１５Ｂは上下の固定枢軸１６を基準にして鋏揺動し、それらの先端部１５ａは上下のラッチ５Ａ、５Ｂの係合受け部９に係合する（ラッチを拘束する）。
【００４８】
一方、トリガーヘッド２２のローラ２７が受け具５０から外れると、トリガー部材２１Ａは後側の制御バネ２６のバネ力により錠箱２のフロント板側に前進することから、そのロック手段２４は後方から前方へと位置変位する。
【００４９】
その結果、ロック手段２４の外周面２４ａはロッキングピース１５Ａの背側の係合部１９へと入り込んで、該係合部１９に係合し、ロッキングピース１５Ａを完全にロックする。それ故に、開扉時には操作部材６０を操作することができない。
【００５０】
（６）係合作用片
符号３１Ａ、３１Ｂは、錠箱２の内部の後方側に配設した上下一組の係合作用片である。図７を参照にして、上下の係合作用片３１Ａ、３１Ｂ、上下の作用バネ（戻しバネ）３２を説明する。上下の係合作用片３１Ａ、３１Ｂは同一構成なので、ここでは、上方の係合作用片３１Ａを基準にして説明する。
【００５１】
３３は中央部の外面にガイド突起３３ａを有する垂直板、３４は垂直板３３の上端部に交差方向に連設し、かつ内面に小突起状のバネ端支持部３４ａを有する水平板、一方、３５は垂直板３３の下端部に端面コ字形状に突出形成された係合部である。
【００５２】
しかして、前記係合部３５の一つの水平壁は、作用バネ３２の一端部を受ける小突起状のバネ端支持部３５ａを有する。また、係合部３５の他の水平壁は、駆動片６２と当接する係合面３５ｂを有すると共に、その先端部には、錠箱２の側壁に形成した垂直案内長孔と係合する部分となっている。
【００５３】
上記構成の上下の係合作用片３１Ａ、３１Ｂは、図１及び図２で示すように、端面コ字形状の係合部３５が、互いに二枚の駆動片６２を上下方向で挟むように錠箱内に摺動可能に配設されている。そして、上位の作用バネ３２は、上位の係合作用片３１Ａの水平板３４と相手方に相当する下位の係合作用片３１Ｂの係合部３５の間に配設され、一方、下位の作用バネ３２は、下位の係合作用片３１Ｂの水平板３４と相手方に相当する上位の係合作用片３１Ａの係合部３５の間に配設されている。
【００５４】
（７）受け具
次に、図１、図４、図８乃至図１３を参照にして、本発明のラッチ錠用の受け具５０の一例（第１実施例）を説明する。図８は受け具５０の斜視図、図９は正面図、図１０は左側面図、図１１は図９の１１−１１線断面図、図１２は図９の１２−１２線断面図、図１３は扉を閉める時に於いて、一つのラッチが受け具５０の傾斜状表面５１ａを乗り越える場合をそれぞれ示している。
【００５５】
前述したように、本発明は、固定側（戸枠の縦枠や柱）Ｚに取付けられ、かつ自由扉Ｙの自由端部に取付けられた錠本体１の組となる上下方向の二つのラッチ先端部ａ、ｂが同時に係脱する自由扉のラッチ錠用の受け具５０である。
【００５６】
まず、図８を参照しながら説明する。符号５０ａは、受け具５０の表面５０ａである。ここで「表面５０ａ」とは、左右に揺動する扉Ｙの自由端部側から受け具５０を見た場合に視覚上見える外面を意味する。したがって、受け具５０の左右の側壁部分に形成された傾斜面、側壁部分の稜線部分（アール部分）も表面の概念に含まれる。
【００５７】
本実施例では、この表面５０ａの中央部に上下方向に重なるように位置する二つのラッチ先端部ａ、ｂが同時に係脱する縦長状係入穴５２が一つ形成されている。この縦長状の係入穴５２は、本発明の所期の目的を達成することができる限り、中央部に水平の仕切り壁を設けてニ分割に形成しても良い。
【００５８】
いずれにしても、本実施例の錠本体１は、例えば一つのラッチ枠３内に上下方向に位置する同一構成の反転式ラッチ５Ａ、５Ｂを、そのラッチングする係止面６が相互に対称となるように組込んでいることから、揺動する扉Ｙの自由端部の中央に対応する箇所、つまり、受け具５０の中央部に一つの垂直長孔状の係入穴５２を形成するのが望ましい。
【００５９】
したがって、縦長状係入穴５２の左右の側壁部分がラッチの先端部ａ、ｂが乗り越える係合部５１である。しかして、上下の反転式ラッチ５Ａ、５Ｂは、図４で示すように左右対称に錠箱２に組み込まれていることから、係入穴５２を形成する左右の側壁部分は、前記ラッチ先端部ａ、ｂがそれぞれ乗り越えることができるように回転対称に形成されている。
【００６０】
そして、左右の係合部５１はそれぞれ上下に区分された二つの係合部分５１ａ、５１ｂから成っており、その一つは、一方のラッチ先端部ａの係止面(先端)６が乗り越える傾斜状表面５１ａであり、他の一つは、他方のラッチ先端部ｂの傾斜面７が乗り越える平表面５１ｂである。
【００６１】
しかも、前記左右の傾斜状表面の係合部分５１ａは、それぞれ扉の揺動方向の他方の平表面の係合部分５１ｂよりも底壁５３側に多少落ち込んでいる（図１１、図１２参照）。
【００６２】
ところで、実施の形態で説明した錠本体１は、ラッチ拘束用ロッキングピースをロックするロック手段２４を備え、かつ錠箱２のフロントに進退動自在に配設されたトリガー部材２１Ａ、２１Ｂを２個有することから、これらのトリガー部材２１Ａ、２１Ｂのトリガーヘッド２２の位置に対応して、表面５０ａの両端部寄りの部位に、前記トリガーヘッド２２が圧接する膨出部分５４がそれぞれ形成されている。
【００６３】
なお、左右の係合部５１は、それぞれ回転対称であることから、上下のラッチ先端部ａ、ｂが係入穴５２に落ち込んだ（進入）ときに各ラッチ５Ａ、５Ｂ（ラッチ先端部ａ、ｂ）の係止面６がそれぞれ同時に対向する垂直受け面５２ａ、５２ａも対角線方向の内面となる。
【００６４】
図１３は開扉時から閉扉時の場合に於ける上下の反転式ラッチ５Ａ、５Ｂの姿勢等を示すが、一つのラッチの先端部ａは傾斜状表面の係合部分５１ａを滑りながら稜線部分を乗り越え、一方、他のラッチの先端部ｂは、その傾斜面が平表面５１ｂを滑って乗り越える。そうすると、閉戸時、図４の状態になる。
【００６５】
閉扉時から開扉時の場合並びに開扉時から閉扉時の場合の反転式ラッチ５Ａ、５Ｂの姿勢ないし作用については前述したとおりである。
【実施例】
【００６６】
この欄では、ラッチ錠用の受け具５０Ａの第２実施例を説明する。図１４は第２実施例の受け具５０Ａの斜視図、図１５は正面図、図１６は左側面図、図１７は図１５の１７−１７線断面図、図１８は図１５の１８−１８線断面図である。第２実施例の受け具５０Ａの場合も、前提条件及びその本質的事項は第１実施例と同じである。ここでは、第１実施例の符号を援用して説明する。
（ア）この受け具５０Ａでは、その表面５０ａの両端部寄りの部位に前記ラッチ先端部が同時に係脱する係入穴５２をそれぞれ形成し、これら上下の係入穴５２、５２を形成する左右の側壁部分は、ラッチ先端部がそれぞれ乗り越える回転対称の係合部であり、かつ、左右の係合部はそれぞれ中央部の表面部分５１ｃにそれぞれ連設すると共に、上下に区分された二つの係合部分５１ａ、５１ｂから成っている。
（イ）そして、第１実施例と同様に、例えば左側のその一つは、一方のラッチ先端部の係止面(先端)が乗り越える傾斜状表面５１ａであり、また、左側の他の一つは、他方のラッチ先端部の傾斜面７が乗り越える平表面５１ｂである。付言すると、左側上方に位置する傾斜状表面５１ａと右側下方に位置する傾斜状表面５１ａ、また、右側下方に位置する平表面５１ｂと左側上方に位置する平表面５１ｂは、それぞれ上下のラッチの係止面並びに傾斜面に対応して回転対称である。
（ウ）また、図１７及び図１８で示すように、傾斜状表面の係合部分５１ａは、扉の揺動方向の他方の平表面の係合部分５１ｂよりも底壁５３側に多少落ち込んでいる点も同様である。
（エ）なお、トリガー部材のトリガーヘッドが圧接する部分５４は、平担状であるが、設計如何によって膨出部分にすることもできる。また、この受け具５０Ａでは、錠本体に進退動自在に設けたトリガー部材が錠本体の中央部に配設した場合に対応して、表面５０ａの中央部がトリガーヘッド用の圧接部分５４である。
【００６７】
第２実施例の受け具５０Ａは、錠本体１に配設した上下の反転式ラッチ５Ａ、５Ｂやトリガー部材の位置や数に対応して、上下に一対係入穴５２を設け、かつ中央部にトリガーヘッド用の圧接部５４を形成したものであるが、このように、上下の反転式ラッチ５Ａ、５Ｂの位置やトリガー部材の数に対応して、係入穴５２や圧接部５４の位置を任意に設計変更することができる。
【００６８】
なお、上下のラッチの種類に関しては、望ましくは本実施例のように反転式ラッチ５Ａ、５Ｂを採用すべきであるが、例えば一つのラッチボルトに上下方向に対称的なラッチ先端部を有するラッチ（非反転式の通常ラッチの一種）を用いても良い。この場合、ラッチボルトは操作部材の操作力により錠箱内へと後退動する。また、一つのラッチボルト型ではないが、特許文献１のように、ラッチ先端部を有する非反転型のラッチ部材（非反転式の通常ラッチの）を、錠本体に上下方向、かつ対称的に２個配設しても良い。
【産業上の利用可能性】
【００６９】
本発明は、主に錠前や建具の業界で利用される。
【図面の簡単な説明】
【００７０】
図１乃至図１３は、本発明の環境部材（ラッチ錠）と共に第１実施例の受け具を示す各説明図。図１４至図１８は、本発明の第２実施例の受け具を示す各説明図。
【図１】ラッチ錠の閉扉時の概略の縦断面説明図。
【図２】ラッチ錠の開扉時の概略の縦断面説明図。
【図３】ラッチ錠の各部材の関係を概念的に示す説明図。
【図４】閉扉時の概略の横断面説明図（平面視）。
【図５】ラッチ錠の要部（ロック手段）の説明図。
【図６】ラッチ錠の各部材（ラッチ、ロッキングピース等）の説明図。
【図７】ラッチ錠の要部（係合作用片、操作部材側の駆動片）の説明図。
【図８】第１実施例の受け具の斜視図。
【図９】受け具の正面図。
【図１０】左側面図。
【図１１】図９の１１−１１線断面図。
【図１２】図９の１２−１２線断面図。
【図１３】扉を閉じる際の受け具の係合部とラッチとの摺接関係を示す概略説明図。
【図１４】第２実施例の受け具の斜視図。
【図１５】受け具の正面図。
【図１６】左側面図。
【図１７】図１５の１７−１７線断面図。
【図１８】図１５の１８−１８線断面図。
【符号の説明】
【００７１】
Ｘ…ラッチ錠、Ｙ…扉、Ｚ…戸枠、１…錠本体、２…錠箱、３…ラッチ枠、４…水平案内板、５Ａ、５Ｂ…ラッチ、ａ、ｂ…ラッチ先端部、６…ラッチの係止面、７…ラッチの傾斜面、８…ストッパー用突起、９…係合受け部、１０…ラッチ受け、１１…ラッチばね、１２…垂直の基準軸、１５Ａ、１５Ｂ…ロッキングピース、１５ａ…先端部、１５ｂ…後端部、１５ｃ…アーム部、１６…軸、１７…可動連結軸、１８…ロッキングバネ、１９…背側の係合部、２１Ａ、２１Ｂ…トリガー部材、２２…トリガーヘッド、２３…水平杆部分、２４…操作部材用ロック手段、２４ａ…外周面、２５…弱い制御バネ、２６…強い制御バネ、２７…ローラ、３１Ａ、３１Ｂ…係合作用片、３２…作用バネ(戻しバネ)、３３…垂直板、３４…水平板、３５…係合部、３５ａ…バネ端支持部、５０，５０Ａ…受け具、５０ａ…受け具の表面、５１…係合部、５１ａ…係合部分（傾斜状表面）、５１ｂ…係合部分（平表面）、５１ｃ…中央部の表面部分、５２…係入穴、５２ａ…垂直受け面、５３…底壁、５４…膨出部分（平担部分）、６０…操作部材、６１…開口、６２…駆動片。
【図１】
2008291506.tif 000003
【図２】
2008291506.tif 000004
【図３】
2008291506.tif 000005
【図４】
2008291506.tif 000006
【図５】
2008291506.tif 000007
【図６】
2008291506.tif 000008
【図７】
2008291506.tif 000009
【図８】
2008291506.tif 000010
【図９】
2008291506.tif 000011
【図１０】
2008291506.tif 000012
【図１１】
2008291506.tif 000013
【図１２】
2008291506.tif 000014
【図１３】
2008291506.tif 000015
【図１４】
2008291506.tif 000016
【図１５】
2008291506.tif 000017
【図１６】
2008291506.tif 000018
【図１７】
2008291506.tif 000019
【図１８】
2008291506.tif 000020